(57)【特許請求の範囲】
【請求項１】
赤外線信号又はマイクロ波を利用して、一定距離内に物体が接近することを感知し、侵入者かどうかを判断するために感知された物体の滞留時間を設定し、感知された物体が滞留時間を経過する場合、感知信号を出力する侵入感知部と、移動通信送受信機が設置された場所の位置情報を検索することに利用できる固有コードを保存する保存部と、前記侵入感知部の感知信号の提供を受けて警報音及び警報灯が出力されるように警報器を制御し、前記感知信号に基づいて緊急連絡先に侵入位置を知らせるための移動通信送受信機の固有コードである侵入確認信号を移動信号網を通じて管理サーバーに転送する制御部と、前記侵入確認信号を移動信号網を通じて管理サーバーに転送する無線通信部を備えた移動通信送受信機と、
前記移動通信送受信機の制御信号の伝達を受けて前記警報音及び警報灯を出力させる警報器と、
前記位置情報を検索することに利用できる固有コードである侵入確認信号の転送を受けて、位置情報ＤＢに既保存された位置情報と、被害者に緊急状況が発生したことを知らせる人の電話番号である通知受信者の電話番号を顧客情報データベースから確認し、前記移動通信送受信機が位置した位置情報と被害者の緊急連絡先を含むＳＭＳ通知メッセージを、各通知受信者の電話番号のユーザ端末機に転送してポップアップさせるようにプッシュサーバーに要請する管理サーバーと、
前記管理サーバーから要請を受けて前記ＳＭＳ通知メッセージを生成し、前記通知受信者の電話番号のユーザ端末機に前記ＳＭＳ通知メッセージをポップアップさせるように転送するプッシュサーバーと、を含むＳＭＳ通知サービスを利用した事前侵入感知システム。
【請求項２】
前記ユーザ端末機から要請を受け、侵入通知と移動通信送受信機の位置情報又は被害者の緊急連絡先表示機能及び通話連絡機能が含まれたアプリケーションを提供するＡＰＰサーバーをさらに含み、
前記管理サーバーは、前記アプリケーションと連動して前記通知受信者の電話番号に位置情報を提供したり、前記被害者の連絡先を提供する、ＳＭＳ通知サービスを利用した請求項１に記載の事前侵入感知システム。
【請求項３】
前記管理サーバーは、
前記アプリケーションと連動して前記通知受信者の電話番号に位置情報を提供したり、前記被害者の緊急連絡先の提供を受けることができるようにインターフェイスを提供するＡＰＰ連動部と、
被害者の緊急連絡先と、１つ以上の通知受信者の電話番号を含む顧客情報を保存する顧客情報ＤＢと、
前記移動通信送受信機の位置情報提供を受けて、各移動通信送受信機に位置情報を保存する位置情報ＤＢとをさらに含むＳＭＳ通知サービスを利用した請求項２に記載の事前侵入感知システム。
【請求項４】
前記管理サーバーは、
前記ユーザ端末機がコンピュータである場合、ウェブ環境で、前記ユーザ端末機に設置されるソフトウェアと連動して前記通知受信者の電話番号に位置情報を提供したり、前記被害者の緊急連絡先の提供を受けることができるようにインターフェイスを提供するＳＷ連動部をさらに含むＳＭＳ通知サービスを利用した請求項１に記載の事前侵入感知システム。
【請求項５】
防犯地域に設置された移動通信送受信機で一定距離内に物体が接近することを感知するステップと、
前記移動通信送受信機の感知信号の提供を受けて警報音及び警報灯が出力されるように警報器を制御するステップと、
前記感知信号に基づいて緊急連絡先に侵入位置を知らせるために移動通信送受信機の固有コードである侵入確認信号を生成して、移動通信網を通じて管理サーバーに転送するステップと、
前記侵入確認信号の転送を受けた管理サーバーは、前記侵入確認信号の転送を受けて位置情報ＤＢに既保存された位置情報と被害者に緊急状況が発生したことを知らせる人の電話番号である通知受信者の電話番号をデータベースから確認し、前記移動通信送受信機が位置した位置情報と被害者の緊急連絡先を含むＳＭＳ通知メッセージを、各通知受信者の電話番号のユーザ端末機に転送してポップアップさせるようにプッシュサーバーに要請するステップと、
前記プッシュサーバーは、前記管理サーバーから要請を受けて前記ＳＭＳ通知メッセージを生成し、前記通知受信者の電話番号のユーザ端末機に前記ＳＭＳ通知メッセージを転送してポップアップさせるステップと、を含むＳＭＳ通知サービスを利用した事前侵入感知方法。
【請求項６】
犯罪の兆候や遭難などの緊急状況が発生した場合、被害者の救助信号の入力を受けて近傍の適所に設置された多数の警報器を介して救助アラームを提供すると共に、保護者のユーザ端末機又は管理当局のサーバーに犯罪の兆候や遭難などの緊急状況の発生事実を知らせることができるように連結された管理サーバーに、侵害位置を示す移動通信送受信機の固有コードを移動通信網を通じて無線転送する移動通信送受信機と、
前記移動通信送受信機から救助信号の提供を受けて警報灯を出力し、スピーカーを介して既保存された救助音声又は状況通知音を出力する前記警報器と、
前記移動通信送受信機から移動通信送受信機の固有コードの転送を受けて既保存された被害者に緊急状況が発生したことを知らせる人の電話番号である通知受信者の電話番号を顧客情報ＤＢから確認及び前記移動通信送受信機が位置した位置情報を位置情報ＤＢから確認し、前記位置情報と被害者の緊急連絡先を含むＳＭＳ通知メッセージを各緊急通知受信者の電話番号のユーザ端末機に転送してポップアップさせるようにプッシュサーバーに要請したり、前記位置情報と緊急連絡先が含まれた状況通知メッセージを生成して管理当局のサーバーに有無線通信で転送する管理サーバーと、
前記管理サーバーから要請を受けて前記ＳＭＳ通知メッセージを生成し、前記緊急通知受信者の電話番号のユーザ端末機又はインターネット上に連結された管理当局のサーバーにＳＭＳ通知メッセージを転送してポップアップさせるプッシュサーバーと、
インターネットを通じて前記状況通知メッセージの転送を受ける前記管理当局のサーバーとを含むＳＭＳ通知サービスを利用した救助信号通報システム。
【請求項７】
前記ユーザ端末機から要請を受けて、侵入通知と移動通信送受信機の位置情報、又は被害者の緊急連絡先表示機能及び通話連絡機能が含まれたアプリケーションを提供するＡＰＰサーバーをさらに含み、
前記管理サーバーは、前記アプリケーションと連動して前記緊急通知受信者の電話番号に位置情報を提供したり、前記被害者の緊急連絡先を提供するＳＭＳ通知サービスを利用した請求項６に記載の救助信号通報システム。
【請求項８】
前記管理サーバーは、
前記アプリケーションと連動して前記緊急通知受信者の電話番号に位置情報を提供したり、前記被害者の緊急連絡先の提供を受けることができるようにインターフェイスを提供するＡＰＰ連動部と、
被害者の緊急連絡先と、１つ以上の緊急通知受信者の電話番号を含む顧客情報を保存する顧客情報ＤＢと、
前記移動通信送受信機の固有コードと位置情報の提供を受けて各送信機に位置情報を保存する位置情報ＤＢと、
管理当局のサーバーに設置された状況通知メッセージ受信用のソフトウェアと連動するためのインターフェイスを備え、位置情報と被害者の緊急連絡先が含まれた状況通知メッセージを管理当局のサーバーと警備会社のサーバーに転送することができるようにするＳＷ連動部とをさらに含むＳＭＳ通知サービスを利用した請求項７に記載の救助信号通報システム。
【請求項９】
犯罪の兆候や遭難などの緊急状況が発生した場合、被害者が所持した移動通信送受信機から救助信号入力を受けるステップと、
前記移動通信送受信機から救助信号の提供を受ける近傍の適所に設置された多数の警報器は警報灯を出力し、スピーカーを介して既保存された救助音声又は状況通知音を出力するステップと、
保護者のユーザ端末機又はインターネットに連結された管理当局のサーバーに犯罪の兆候や遭難などの緊急状況の発生を知らせることができるように管理サーバーに、緊急状況が発生された移動通信送受信機の位置を検索することに利用できる固有コードである救助信号を移動通信網を通じて無線転送するステップと、
管理サーバーは、前記移動通信送受信機から固有コードの転送を受けて、既保存された被害者に緊急状況が発生したことを知らせる人の電話番号である通知受信者の電話番号を顧客情報ＤＢから確認及び前記移動通信送受信機が位置した位置情報を位置情報ＤＢから確認し、前記位置情報と被害者の緊急連絡先を含むＳＭＳ通知メッセージを各緊急通知受信者の電話番号のユーザ端末機に転送してポップアップさせるようにプッシュサーバーに要請するステップと、
前記管理サーバーから要請を受けて前記ＳＭＳ通知メッセージを生成し、前記緊急通知受信者の電話番号のユーザ端末機又は管理当局のサーバーにＳＭＳ通知メッセージを転送してポップアップさせるステップと、
前記ユーザ端末機又は管理当局のサーバーで前記プッシュサーバーを介してＳＭＳ通知メッセージの転送を受けるステップと、を含むＳＭＳ通知サービスを利用した救助信号通報方法。
【発明の詳細な説明】
【技術分野】
【０００１】
本発明は、ＳＭＳ通知システムを利用した事前侵入感知システム、そして、救助信号通報システム及び方法に関し、より詳細には、緊急状況において迅速に警光灯を表示すると共に、警報音を外部に伝播し、これと共にＳＭＳ送信メッセージを予め登録された受信者のユーザ端末機に転送することにより、迅速に状況を知らせることができるＳＭＳ通知サービスを利用した事前侵入感知システム、そして救助信号通報システム及び方法に関する。
【背景技術】
【０００２】
産業社会が発達し、開発された技術の重要性が増大されることによって技術や資料を保管する場所に対する保安が強調されており、個人の緊急な状況を他人に知らせるための個人警護への関心が高まっている。
【０００３】
このような最近の状況を鑑みて、特定の場所に認可された人だけが出入りするように多様な形態の警報装置らが開発されて使用されている。
【０００４】
しかし、従来の警報装置は、それぞれの異常状況が発生される状況について侵入者を認知した被害者が装置を作動させて緊急状況を外部に表出するようになっているが、侵入者の乱入状況又は被害者の認知能力が不足したり、緊急な状況では、まだ装置を作動させず、依然として犯罪の標的になっている実情である。
【０００５】
公開特許10−2010−097849号には、危険状況に置かれた人の簡単な作動によって周辺に警報を発生し、危険状況を知らせることで、周辺の人たちの積極的な救護活動を可能にし、危険状況を対応措置できるようにする危機管理システムが開示されているが、これは、インターネットを通じてコンピュータに通知機能を提供するだけであって、現在補給されたユーザ端末機に適用するには無理がある。
【０００６】
また、全世界的に事後管理用ＣＣＴＶと関連産業と先端科学装備は、持続的な発展を重ねているが、犯罪の兆候及び遭難事故を予防、遮断、救助しようとするシステムは、現在まで開発できなかったのが現実である。
【０００７】
従って、様々な緊急状況で迅速且つ簡単に警光灯、警報音及び救助案内音声を伝播し、同時にＳＭＳ通知メッセージを通じて外部の管理当局のサーバーや予め登録された緊急通知受身者のユーザ端末機に迅速に状況を知らせることができるシステムが補完及び構築すべき必要性がある。
【発明の開示】
【発明が解決しようとする課題】
【０００８】
前述の事情を鑑みて案出された本発明は、企業、官公庁、商店街、コンビニ、別荘、田園住宅、一戸住宅などの窓のような保安が必要な場所に設置された移動通信送受信機の感知を通じて侵入者を認識し、警告音、警光及び音声警報灯が出力されると共に、移動通信送受信機によって位置情報と緊急状況をサーバーに自動転送し、既保存された警備会社や知人などの電話番号にＳＭＳ通知が可能になったＳＭＳ通知サービスを利用した事前侵入感知システム及び方法を提供することにその目的がある。
【０００９】
他の目的としては、犯罪の兆候、遭難や応急状況などのような緊急状況で、当事者が簡単なボタンの入力で救助信号を、近傍に設置された移動通信の送信装置を介して警光、警報音又は救助音声を出力するように制御し、管理当局のサーバーや移動通信網を通じた保護者の携帯用端末機に緊急状況に対する措置を受けることができるように、ＳＭＳを通知サービスを通じた状況情報を伝播できるようになったＳＭＳ通知サービスを利用した救助信号通報システム及び方法を提供することにその目的がある。
【００１０】
本発明の技術的課題は、上述した技術的課題に制限されず、言及していない他の技術的課題は以下の記載から当業者にとって明確に理解できるだろう。
【課題を解決するための手段】
【００１１】
上記の目的を達成するための本発明のＳＭＳ通知サービスを利用した事前侵入感知システムは、一定距離内に物体が接近することを感知する侵入感知部と、移動通信送受信機が設置された場所の位置情報を保存する保存部と、前記侵入感知部の感知信号の提供を受けて警報音及び警報灯が出力されるように警報器を制御し、前記感知信号に基づいて外部に侵入を知らせるための侵入確認信号を生成して管理サーバーに転送する制御部と、前記侵入確認信号を管理サーバーに転送する無線通信部とを備えた移動通信送受信機と、前記移動通信送受信機の制御信号の転送を受けて前記警報音及び警報灯を出力させる警報器と、前記位置情報及び侵入確認信号の転送を受けて既保存された被害者の通知受信者の電話番号を顧客情報のデータベースから確認し、前記移動通信送受信機が位置した位置情報と被害者の緊急連絡先を含むＳＭＳ通知メッセージを各通知受信者の電話番号のユーザ端末機に転送するようにプッシュサーバーに要請する管理サーバーと、前記管理サーバーから要請を受けて前記ＳＭＳ通知メッセージを生成し、前記通知受信者の電話番号のユーザ端末機に前記ＳＭＳ通知メッセージを転送するプッシュサーバーとを含む。
【００１２】
上記において、前記ユーザ端末機の要請を受けて、侵入通知と移動通信送受信機の位置情報又は被害者の緊急連絡先表示機能及び通話連結機能が含まれたアプリケーションを提供するＡＰＰサーバーをさらに含み、前記管理サーバーは、前記アプリケーションと連動して前記通知受信者の電話番号に位置情報を提供したり、前記被害者の緊急連絡先を提供する。
【００１３】
上記において、前記管理サーバーは、前記アプリケーションと連動して前記通知受信者の電話番号に位置情報を提供したり、前記被害者の緊急連絡先の提供を受けることができるようにインターフェイスを提供するＡＰＰ連動部と、被害者の緊急連絡先と、１つ以上の通知受信者の電話番号を含む顧客情報を保存する顧客情報ＤＢと、前記移動通信送受信機の位置情報の提供を受けて、各移動通信送受信機に位置情報を保存する位置情報ＤＢをさらに含む。
【００１４】
前記管理サーバーは、前記ユーザ端末機がコンピュータである場合、ウェブ環境で、前記ユーザ端末機に設置されるソフトウェアと連動して前記通知受信者の電話番号に位置情報を提供したり、前記被害者の緊急連絡先の提供を受けることができるようにインターフェイスを提供するＳＷ連動部をさらに含む。
【００１５】
上記において、前記侵入感知部は、赤外線信号又はマイクロ波を利用して物体を感知し、侵入者かどうかを判断するために感知された物体の滞留時間を設定し、滞留時間が経過する場合、前記感知信号を出力することを特徴とする。
【００１６】
上記の目的を達成するための本発明のＳＭＳ通知サービスを利用した事前侵入感知方法は、防犯地益に設置された移動通信送受信機で一定距離内に物体が接近することを感知するステップと、前記移動通信送受信機の感知信号の提供を受けて警報音及び警報灯が出力されるように警報器を制御するステップと、前記感知信号に基づいて外部に侵入を知らせるための侵入確認信号を生成して位置情報と共に管理サーバーに転送するステップと、前記侵入確認信号の転送を受けた管理サーバーは、前記位置情報及び侵入確認信号の転送を受けて既保存された被害者の通知受信者の電話番号をデータベースから確認し、前記移動通信送受信機が位置した位置情報と被害者の緊急連絡先を含むＳＭＳ通知メッセージを各通知受信者の電話番号のユーザ端末機に転送するようにプッシュサーバーに要請するステップと、前記プッシュサーバーは、前記管理サーバーから要請を受けて前記ＳＭＳ通知メッセージを生成し、前記通知受信者の電話番号のユーザ端末機に前記ＳＭＳ通知メッセージを転送するステップとを含む。
【００１７】
上記の目的を達成するための本発明のＳＭＳ通知サービスを利用した救助信号通報システムは、犯罪の兆候や遭難などの緊急状況が発生した場合、被害者の救助信号の入力を受けて近傍の適所に設置された多数の警報器を介して救助アラームを提供すると共に、保護者のユーザ端末機又は管理当局のサーバーに犯罪の兆候や遭難などの緊急状況の発生事実を知らせることができるように、インターネット上に連結された管理サーバーに救助信号を無線転送する移動通信送受信機と、前記移動通信送受信機から救助信号の提供を受けて警報灯を出力し、スピーカーを介して既保存された救助音声又は状況通知音を出力する前記警報器と、前記移動通信送受信機から救助信号の転送を受けて既保存された被害者の緊急通知受信者の電話番号を顧客情報ＤＢから確認及び前記移動通信送受信機が位置した位置情報を位置情報ＤＢから確認し、前記位置情報と被害者の緊急連絡先を含むＳＭＳ通知メッセージを各緊急通知受信者の電話番号のユーザ端末機に転送するようにプッシュサーバーに要請したり、前記位置情報と緊急連絡先が含まれた状況通知メッセージを生成して管理当局のサーバーに有無線通信で転送する管理サーバーと、前記管理サーバーから要請を受けて前記ＳＭＳ通知メッセージを生成し、前記緊急通知受信者の電話番号のユーザ端末機又はインターネット上に連結された管理当局のサーバーにＳＭＳ通知メッセージを転送するプッシュサーバーと、インターネットを通じて前記状況通知メッセージの転送を受ける前記管理当局のサーバーとを含む。
【００１８】
上記において、前記管理サーバーは、前記警報器の位置情報を確認するために、前記移動通信送受信機から固有コードの転送を受けることを特徴とする。
【００１９】
上記において、前記ユーザ端末機の要請を受けて、侵入通知と移動通信送受信機の位置情報又は被害者の緊急連絡先表示機能及び通話連結機能が含まれたアプリケーションを提供するＡＰＰサーバーをさらに含み、前記管理サーバーは、前記アプリケーションと連動して前記緊急通知受信者の電話番号に位置情報を提供したり、前記被害者の緊急連絡先を提供する。
【００２０】
上記において、前記管理サーバーは、前記アプリケーションと連動して前記緊急通知受信者の電話番号に位置情報を提供したり、前記被害者の緊急連絡先の提供を受けることができるようにインターフェイスを提供するＡＰＰ連動部と、被害者の緊急連絡先と、１つ以上の緊急通知受信者の電話番号を含む顧客情報を保存する顧客情報ＤＢと、前記移動通信送受信機の固有コードと位置情報の提供を受けて各送信機に位置情報を保存する位置情報ＤＢと、管理当局のサーバーに設置された状況通知メッセージ受信用のソフトウェアと連動するためのインターフェイスを備え、位置情報と被害者の緊急連絡先が含まれた状況通知メッセージを管理当局のサーバーと警備会社のサーバーに転送することができるようにするＳＷ連動部とをさらに含む。
【００２１】
上記の目的を達成するための本発明のＳＭＳサービスを利用した救助信号通報方法は、犯罪の兆候や遭難などの緊急状況が発生した場合、被害者が所持した移動通信送受信機から救助信号の入力を受けるステップと、前記移動通信送受信機から救助信号の提供を受ける近傍の適所に設置された多数の警報器は警報灯を出力し、スピーカーを介して既保存された救助音声又は状況通知音を出力するステップと、保護者のユーザ端末機又はインターネットに連結された管理当局のサーバーに遭難の発生を知らせることができるように管理サーバーに救助信号を無線転送するステップと、管理サーバーは、前記移動通信送受信機から救助信号の転送を受けて、既保存された被害者の緊急通知受信者の電話番号を顧客情報ＤＢから確認及び前記移動通信送受信機が位置した位置情報を位置情報ＤＢから確認し、前記位置情報と被害者の緊急連絡先を含むＳＭＳ通知メッセージを各緊急通知受信者の電話番号のユーザ端末機に転送するようにプッシュサーバーに要請するステップと、前記管理サーバーから要請を受けて前記ＳＭＳ通知メッセージを生成し、前記緊急通知受信者の電話番号のユーザ端末機又は管理当局のサーバーにＳＭＳ通知メッセージを転送するステップと、前記ユーザ端末機又は管理当局のサーバーで前記プッシュサーバーを介してＳＭＳ通知メッセージの転送を受けるステップとを含む。
【発明の効果】
【００２２】
本発明のＳＭＳ通知サービスを利用した事前侵入感知システム、そして救助信号通報システム及び方法によると、事前に侵入者を自動に認知して警報音、警光及び音声警報灯で外部に直ちに知らせることができるだけでなく、移動通信送受信装置によって既登録された電話番号に、被害者の位置及び緊急連絡先が含まれたＳＭＳ通知メッセージを転送して迅速に犯罪に対処し、事前予防が可能な効果がある。
【００２３】
また、侵入者が一定距離内に接近して感知された赤外線などの感知信号を移動通信送受信機が受信し、移動通信送受信装置によって既登録された警備会社の職員と会社関連者の電話番号に被害者の位置及び緊急連絡先が含まれた通知メッセージを転送して迅速に侵入に対処すると共に、状況室と無線指令方法及び有線網をなくしてより迅速且つ経済的な警備システムを構築できる効果がある。
【００２４】
また、赤外線を感知する構成のほか、現存する警備システムに別の施設工事がないため、メインテナンス人力と警備節減で経済的利益を取ることができる。
【００２５】
そして、緊急状況で誰でもこのような通知サービスを通じて警備会社の保護を受けることができるので、その期待される波及効果が大きいと言える。
【００２６】
また、遭難や応急状況において当事者が簡単なボタンの入力だけで救助信号を近傍に設定された移動通信送受信機を介して警報灯及び救助音声を出力し、有無線通信網に連結された管理当局のサーバー、又は警備会社のサーバーや移動通信網を介する保護者のユーザ端末機に通知メッセージを転送して緊急状況に対する確認と、これに対する対処を迅速に受けることができる効果がある。
【００２７】
他の効果としては、ボタンの操作で入力された救助信号を移動通信送受信機が受信及び送信して、上記の方法で既登録された警備会社の職員と会社関連者の電話番号に被害者の位置及び緊急連絡先が含まれたＳＭＳ通知メッセージ、又はアプリケーションを通じて状況通知メッセージを転送して迅速に対処すると同時に、状況室と無線指令方法をなくしてより迅速且つ経済的な警備システムを構築できる効果がある。
【００２８】
また、緊急状況において、誰でもこのような通知サービスを通じて警備会社の保護を受けることができるので、その期待される波及効果が大きいと言える。
【図面の簡単な説明】
【００２９】
【図１】本発明の一実施形態に係るＳＭＳ通知サービスを利用した事前侵入感知システムの全体的な構成を示すブロック図である。
【図２】本発明の一実施形態に係るＳＭＳ通知サービスを利用した事前侵入感知方法を示すフローチャートである。
【図３】本発明の他の実施形態に係るＳＭＳ通知サービスを利用した救助信号通報システムのブロック図である。
【図４】本発明の他の実施形態に係るＳＭＳ通知サービスを利用した救助信号通報方法を示すフローチャートである。
【発明を実施するための形態】
【００３０】
以下、添付の図面を参照して本発明に係る好ましい実施形態を詳細に説明する。これに先立って、本明細書及び請求の範囲に使用された用語や単語は、通常的であるか事前的な意味と限定して解釈してはならず、発明者は、自身の発明を最も最善の方法で説明するため、用語の概念を適切に定義できるという原則に基づいて本発明の技術的思想に符合する意味と概念として解釈されるべきである。
【００３１】
従って、本明細書に記載された実施形態と図面に示した構成は、本発明の最も好ましい一実施形態に過ぎないだけであり、本発明の技術的思想を全て代弁するものではないので、本出願時点において、これらを代替できる多様な均等物と変形例があり得ることを理解すべきである。
【００３２】
以下、本発明の実施形態に係るＳＭＳ通知サービスを利用した事前侵入感知システムを詳細に説明すれば、次の通りである。
【００３３】
図１は、本発明の一実施形態に係るＳＭＳ通知サービスを利用した事前侵入感知システムの全体的な構成を示すブロック図である。
【００３４】
本発明のＳＭＳ通知サービスを利用した事前侵入感知システムは、警報器１００、移動通信送受信機２００、管理サーバー３００、ユーザ端末機４００、ＡＰＰサーバー５００、プッシュサーバー６００を含む。
【００３５】
移動通信送受信機２００は、一定距離内に物体が接近することを感知する侵入感知部２５０と、移動通信送受信機２００が設置された場所の位置情報を検索することに利用できる固有コードを保存する保存部２４０と、前記侵入感知部２５０の感知信号の提供を受けて警報音及び警報灯１１０が出力されるように警報器１００を制御し、前記感知信号に基づいて外部に侵入を知らせるために移動通信送受信機２００の固有コードである侵入確認信号を生成して管理サーバー３００に転送する制御部２２０と、前記侵入確認信号を管理サーバー３００に転送する無線通信部２１０とを備えることができる。
【００３６】
さらに、侵入感知部２５０は、赤外線信号又はマイクロ波を利用して物体を感知し、侵入者かどうかを判断するために感知された物体の滞留を設定し、滞留時間が経過する場合、前記感知信号を出力するのが好ましい。
【００３７】
警報器１００は、前記移動通信送受信機２００の制御信号を通信部１３０を介して伝達を受け、スピーカー１２０を介する警報音及び警報灯１１０を出力させる機能を随行し、別の電源の供給を受けるために電源供給部(図示せず)がさらに含まれることができる。
【００３８】
管理サーバー３００は、前記位置情報を検索することに利用できる固有コードである侵入確認信号の転送を受け、位置情報ＤＢ３８０に既保存された位置情報と、被害者の通知受信者の電話番号を顧客情報のデータベース３７０から確認し、前記移動通信送受信機２００が位置した位置情報と被害者の緊急連絡先を含むＳＭＳ通知メッセージを、各通知受信者の電話番号のユーザ端末機４００に転送するようにプッシュサーバー６００に要請することできる。ここで、通知受信者は、例えば、被害者の家族、親戚、知人であるか、警察庁の顧客センター、又は警備会社の職員になることもあり、本発明がこれに限定されることではない。
【００３９】
プッシュサーバー６００は、前記管理サーバー３００から要請を受けて前記ＳＭＳ通知メッセージを生成し、前記通知受信者の電話番号のユーザ端末機４００に前記ＳＭＳ通知メッセージを転送する。
【００４０】
ユーザ端末機４００は、前記ＳＭＳ通知メッセージの転送を受けて被害者の位置を確認し、緊急連絡先に連絡を取ることもできるので、直ちに措置がなされるようにできる。ここで、ユーザ端末機４００は、プッシュサーバー６００から移動通信網８００を通じてプッシュアラーム（ＳＭＳポップアップ通知メッセージ）を受けられるユーザ端末機であって、スマートフォン、ＣＤＭＡ携帯電話、ファブレットフォンなどができる。
【００４１】
一方、前記ユーザ端末機４００の要請を受けてアプリケーションを提供し、侵入通知と移動通信送受信機２００の位置情報又は被害者の緊急連絡先表示機能及び通話連結機能が含まれたアプリケーションを提供するＡＰＰサーバー５００を備えることができる。
【００４２】
この時、管理サーバー３００は、前記アプリケーションと連動して前記通知受信者の電話番号に移動通信送受信機２００の位置情報を提供したり、前記被害者の緊急連絡先を提供することになる。
【００４３】
また、管理サーバー３００は、前記アプリケーションと連動して前記通知受信者の電話番号に位置情報を提供したり、前記被害者の緊急連絡先の提供を受けることができるようにインターフェイスを提供するＡＰＰ連動部３２０と、被害者の緊急連絡先と、１つ以上の通知受信者の電話番号を含む顧客情報を保存する顧客情報ＤＢ３７０と、前記移動通信送受信機２００の固有コードである侵入確認信号の提供を受けて、各移動通信送受信機２００に位置情報を保存して提供する位置情報ＤＢ３８０とをさらに備えることが好ましい。
【００４４】
また、管理サーバー３００は、ユーザ端末機４００がウィンドウ(Ｗｉｎｄｏｗｓ) 、リナックス(Ｌｉｎｕｘ)などの運営体制を使用するデスクトップパソコン、ノートパソコン、タブレットＰＣに該当する場合、ＬＡＮなどのインターネット７００環境で前記ユーザ端末機４００に設置される侵入通知用のソフトウェアと連動して前記通知受信者の電話番号に位置情報を提供したり、前記被害者の緊急連絡先の提供を受けることができるようにプログラムを提供するＳＷ連動部３３０をさらに含むことができる。
【００４５】
また、管理サーバー３００は、顧客情報ＤＢ３７０から顧客情報の提供を受けて被害者の緊急連絡先と通知受信者の電話番号にポップアップ通知が可能にポップアップ通知部３４０に提供する顧客管理部３１０と、顧客管理部３１０から顧客情報及び位置提供部３５０から位置情報の提供を受けてプッシュサーバー６００にＳＭＳ通知メッセージの転送を要請するポップアップ通知部３４０と、位置情報ＤＢ３８０から移動通信送受信機２００の既保存された位置情報を確認し、該当位置情報をポップアップ通知部３４０に提供する位置提供部３５０と、移動通信送受信機２００と無線通信及びユーザ端末機４００と通信が可能な通信プロトコルを提供する通信モジュール３６０とをさらに備えることができる。
【００４６】
図２は、本発明の一実施形態に係るＳＭＳ通知サービスを利用した事前侵入感知方法を示すフローチャートである。
【００４７】
まず、防犯地域に設置された移動通信送受信機２００で一定距離内に物体が接近することを感知する（Ｓ１００）。
【００４８】
次に、前記侵入感知部２５０の感知信号の提供を受け、警報音及び警報灯１１０が出力されるように警報器１００を制御することにより、警報器１００から警報音及び警報灯１１０が出力されて周辺に侵入を知らせることができるようにする（Ｓ１０２）。
【００４９】
前記感知信号に基づいて外部に侵入を知らせるために移動通信送受信機２００の固有コードである侵入確認信号を生成して、管理サーバー３００に転送する（Ｓ１０４）。
【００５０】
前記侵入確認信号の転送を受けた管理サーバー３００は、位置情報ＤＢ３８０から移動通信送受信機２００の位置情報を確認するとともに、既保存された被害者の通知受信者の電話番号をデータベースから確認し、前記移動通信送受信機２００が位置した位置情報と被害者の緊急連絡先を含むＳＭＳ通知メッセージを、各通知受信者の電話番号のユーザ端末機４００に転送するようにプッシュサーバー６００に要請する（Ｓ１０６）。
【００５１】
前記プッシュサーバー６００は、前記管理サーバー３００から要請を受けて前記ＳＭＳ通知メッセージを生成し、前記通知受信者の電話番号のユーザ端末機４００に前記ＳＭＳ通知メッセージを転送する（Ｓ１０８）。
【００５２】
図３は、本発明の他の実施形態に係るＳＭＳ通知サービスを利用した救助信号通報システムのブロック図である。
【００５３】
本発明の他の実施形態に係るＳＭＳ通知サービスを利用した救助信号通報システムは、警報器１０００、移動通信送受信機２０００、管理サーバー３０００、ユーザ端末機４０００、ＡＰＰサーバー５０００、プッシュサーバー６０００、管理当局のサーバー９００を含むことができる。
【００５４】
移動通信送受信機２０００は、犯罪の兆候や遭難などの緊急状況が発生した場合、被害者の救助信号の入力を受け、近傍の適所に設置された多数の警報器１０００を介して救助アラームを提供すると共に、保護者のユーザ端末機４０００又は管理当局のサーバー９００に犯罪の兆候や遭難などの緊急状況の発生事実を知らせることができるように無線通信で連結された管理サーバー３０００に無線通信部２１００を通じて救助信号を無線転送する。
【００５５】
また、移動通信送受信機２０００は、具体的には被害者の救助信号の入力を受けると、警報器１０００及び管理サーバー３０００に移動通信送受信機２０００の固有コードを転送するように制御する制御部２２００と、外部から緊急状況で入力された救助信号を制御部に伝達する救助信号入力部２３００、前記固有コードや救助信号を保存するための保存部２４００をさらに含む。救助信号入力部２３００が備えられた移動通信送受信機２０００は、小型化させて形態が容易に製作されるのが好ましい。
【００５６】
警報器１０００は、前記移動通信送受信機２０００の無線通信部２１００が転送した救助信号を通信部１３００で受信した後、警報灯１１００を出力し、スピーカー１２００を介して既保存された救助音声又は状況通知音を出力する。警報器１０００は、多数個が設けられて移動通信送受信機２０００と通信可能な範囲で適所に離隔して設置することにより、外部人が緊急状況を容易に認知できるようにするのが好ましい。さらに、警報器１０００は、救助音声を保存するための救助音声保存部１４００が設けられることができる。警報器は、警光のための警報灯と、状況通知音を出力するスピーカーが含まれるように製作されることができる。
【００５７】
管理サーバー３０００は、前記移動通信送受信機２０００から救助信号の転送を受け、既保存された被害者の緊急通知受信者の電話番号を顧客情報ＤＢ３７００から確認及び前記移動通信送受信機２０００が位置した位置情報を位置情報ＤＢ３８００から確認して、前記位置情報と被害者の緊急連絡先を含むＳＭＳ通知メッセージを各緊急通知受信者の電話番号のユーザ端末機４０００に転送するようにプッシュサーバー６００に要請する。ここで、緊急通知受信者は、例えば、被害者の家族、知人であるか、既登録された警備会社の職員又は管理当局（警察庁の顧客センター）に該当することができる。
【００５８】
さらに、管理サーバー３０００は、前記移動通信送受信機２０００の位置情報を確認するため、前記移動通信送受信機２０００から固有コードの転送を受けることが好ましい。ここで、固有コードは、移動通信送受信機２０００ごとに識別が可能な固有識別情報に該当することができる。
【００５９】
管理サーバー３０００は、位置情報ＤＢ３８００から固有コードを利用して検索し、救助信号を受信した該当被害者と関連した顧客情報を照会できる。
【００６０】
プッシュサーバー６０００は、前記管理サーバー３０００から要請を受けて前記ＳＭＳ通知メッセージを生成し、前記緊急通知受信者の電話番号のユーザ端末機４０００、又はインターネット上に連結された管理当局のサーバー９００にＳＭＳ通知メッセージを転送する。
【００６１】
ユーザ端末機４０００は、前記プッシュサーバー６０００を通じてＳＭＳ通知メッセージの転送を受ける。ここで、ユーザ端末機４０００は、ＳＭＳ通知メッセージの受信が可能な端末で、例えば、ＣＤＭＡ携帯電話、スマートフォン、ファブレット（Ｐｈａｂｌｅｔ）フォンなどになることもあり、その他にインターネット通信上においてＶＯＩＰのようなインターネット電話サービスなどを通じて文字通知、又は電話受信などを提供することができるアプリケーションが設置されたデスクトップパソコン、ノートパソコン、ウルトラモバイルＰＣ，タブレットＰＣになることもある。
【００６２】
管理当局のサーバー９００は、犯罪の兆候や遭難などの緊急状況について対処できるようにしたサーバーで管理方法によって設置場所を指定することができ、位置情報と被害者の緊急連絡先を含む状況通知メッセージの転送を受けて緊急状況を迅速に確認することができる。
【００６３】
警備会社のサーバー９１０は、私設警備機関に位置したサーバーで、救助信号を受信した管理サーバー３０００から通信を通じて前記状況通知メッセージを直ちに転送を受けて緊急状況が発生した位置を確認し、緊急連絡先に連絡を取るなどの迅速な対処ができるようにする。
【００６４】
一方、前記ユーザ端末機４０００の要請を受けて、侵入通知と移動通信送受信機２０００の位置情報又は被害者の緊急連絡先表示機能及び通話連結機能が含まれたアプリケーションを提供するＡＰＰサーバー５０００をさらに含むことが好ましい。
【００６５】
管理サーバー３０００は、前記アプリケーションと連動して前記緊急通知受信者の電話番号に位置情報を提供したり、前記被害者の緊急連絡先を提供することができる。
【００６６】
また、管理サーバー３０００は、具体的に顧客管理部３１００、ＡＰＰ連動部３２００、ＳＷ連動部３３００、ポップアップ通知部３４００、位置提供部３５００、通信モジュール３６００、顧客情報ＤＢ３７００、位置情報ＤＢ３８００を含むことができる。
【００６７】
ＡＰＰ連動部３２００は、前記アプリケーションと連動して前記緊急通知受信者の電話番号に位置情報を提供したり、前記被害者の緊急連絡先の提供を受けることができるようにユーザインターフェイスを提供する。
【００６８】
顧客情報ＤＢ３７００は、被害者の緊急連絡先と、１つ以上の緊急通知受信者の電話番号を含む顧客情報を保存する。
【００６９】
位置情報ＤＢ３８００は、前記移動通信送受信機２０００の固有コードと位置情報の提供を受け、各送信機に位置情報を保存する。
【００７０】
顧客管理部３１００は、顧客情報ＤＢ３７００から顧客情報の提供を受け、被害者の緊急連絡先と緊急通知受信者の電話番号にＳＭＳポップアップアラムが可能にポップアップ通知部３４００に提供する。
【００７１】
ポップアップ通知部３４００は、顧客管理部３１００から顧客情報受信及び位置提供部３５００から位置情報提供を受けてプッシュサーバー６０００にＳＭＳ通知メッセージの転送を要請する。
【００７２】
位置提供部３５００は、位置情報ＤＢ３８００から移動通信送受信機２０００の既保存された位置情報を確認し、該当位置情報をポップアップ通知部３４００に提供する。
【００７３】
通信モジュール３６００は、移動通信送受信機２０００と無線通信をしたり、ユーザ端末機４０００と移動通信網を介する通信、並びに管理当局のサーバー９００及び警備会社のサーバー９１０と有無線通信が可能な通信プロトコルを提供する。
【００７４】
ＳＷ連動部３３００は、管理当局のサーバー９００と警備会社のサーバー９１０に設置された状況通知メッセージ受信用のソフトウェアと連動するためのインターフェイスを提供し、位置情報と被害者の緊急連絡先が含まれた状況通知メッセージを生成して、管理当局のサーバー９００と警備会社のサーバー９１０に転送することができる。
【００７５】
図４は、本発明の他の実施形態に係るＳＭＳ通知サービスを利用した救助新語通報方法を示すフローチャートである。
【００７６】
まず、犯罪の兆候や遭難などの緊急状況が発生した場合、被害者が所持した移動通信送受信機２０００から救助信号の入力を受ける(Ｓ２００)。
【００７７】
以後、前記移動通信送受信機２０００から救助信号の提供を受ける近傍の適所に設置された多数の警報器１０００は警報灯１１００を出力し、スピーカーを介して既保存された救助音声又は状況通知音を出力し（Ｓ２０２）、保護者のユーザ端末機４０００又はインターネットに連結された管理当局のサーバー９００に犯罪の兆候や遭難などの緊急状況の発生を知らせることができるように管理サーバー３０００に移動通信送受信機２０００の固有コードを無線転送する。
【００７８】
管理サーバー３０００は、前記移動通信送受信機２０００から移動通信送受信機２０００の固有コードの転送を受けて、既保存された被害者の緊急通知受信者の電話番号を顧客情報ＤＢ３７００から確認及び前記移動通信送受信機２０００が位置した位置情報を位置情報ＤＢ３８００から確認し、前記位置情報と被害者の緊急連絡先を含むＳＭＳ通知メッセージを各緊急通知受信者の電話番号のユーザ端末機４０００に転送するようにプッシュサーバー６０００に要請する（Ｓ２０４）。
【００７９】
前記管理サーバー３０００から要請を受けて前記ＳＭＳ通知メッセージを生成し、前記緊急通知受信者の電話番号のユーザ端末機４０００又は管理当局のサーバー９００にＳＭＳ通知メッセージを転送する（Ｓ２０６）。
【００８０】
前記ユーザ端末機４０００又は管理当局のサーバー９００で前記プッシュサーバー６０００を通じてＳＭＳ通知メッセージの転送を受ける（Ｓ２０８）。
【符号の説明】
【００８１】
１００，１０００…警報器、１１０，１１００…警報灯
１２０，１２００…スピーカー、１３０，１３００…通信部
１４００…救助音声保存部
２００，２０００…移動通信送受信機、２１０，２１００…無線通信部
２２０，２２００…制御部、２３００…救助信号入力部
２４０，２４００…保存部、２５０…侵入感知部
３００，３０００…管理サーバー、３１０，３１００…顧客管理部
３２０，３２００…ＡＰＰ連動部、３３０，３３００…ＳＷ連動部
３４０，３４００…ポップアップ通知部、３５０，３５００…位置提供部
３６０，３６００…通信モジュール、３７０，３７００…顧客情報ＤＢ
３８０，３８００…位置情報ＤＢ、４００，４０００…ユーザ端末機
５００，５０００…ＡＰＰサーバー、６００，６０００…プッシュサーバー
７００…インターネット、８００…移動通信網
９００…管理当局のサーバー、９１０…警備会社のサーバー
【産業上利用可能性】
【００８２】
本発明は、緊急状況で迅速に警光灯を表示すると同時に警報音を外部に伝播し、これと共にＳＭＳ通知メッセージを予め登録された受信者のユーザ端末機に転送することにより、迅速に状況を知らせることができるＳＭＳ通知サービスを利用した事前侵入感知システム、そして救助信号通報システム及び方法に関し、保安システム及び移動通信などの分野に利用されることができる。
【図１】
0006804474.tif 000002
【図２】
0006804474.tif 000003
【図３】
0006804474.tif 000004
【図４】
0006804474.tif 000005